(57)【要約】【課題】ベルトの長さの調節が容易にされた安全帯と長さ調節具との提供。【解決手段】安全帯では、第一ベルト２８の第一挿通部２８ｃに本体基部３２ｂと上板基部３４ｂとが通されている。第二ベルト３０の第二挿通部３０ｃが本体開口３２ａに通されて、第二挿通部３０ｃに上板上縁部３４ｃが通されている。本体基部３２ｂの縦幅Ｌｍｂは、上板基部３４ｂの縦幅より大きい。縦幅Ｌｍｂと本体開口３２ａの縦幅と合わせた縦幅Ｌｍａは、上板３４の縦幅Ｌｕｔより大きい。上板基部３４ｂの縦幅と上板開口の縦幅と合わせた縦幅Ｌｕａは、縦幅Ｌｍｂより大きい。【選択図】図６
2020028404.tif 000002
【特許請求の範囲】
【請求項１】
安全帯のベルトの長さを調節する長さ調節具であって、
本体及び上板を備えており、
前記本体が、本体基部と、本体上縁部と、前記本体基部と前記本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と前記上板上縁部との間に形成された上板開口と、前記上板開口を間にして前記上板基部と前記上板上縁部とを連結する一対の上板側縁部と、を備えており、
前記本体基部の縦幅Ｌｍｂが前記上板基部の縦幅Ｌｕｂより大きく、
前記縦幅Ｌｍｂと前記本体開口の縦幅Ｌｍｈとを合わせた縦幅Ｌｍａが前記上板の縦幅Ｌｕｔより大きく、
前記縦幅Ｌｕｂと前記上板開口の縦幅Ｌｕｈとを合わせた縦幅Ｌｕａが前記縦幅Ｌｍｂより大きい、長さ調節具。
【請求項２】
前記上板開口の縦幅Ｌｕｈと前記上板上縁部の縦幅Ｌｕｕと合わさせた縦幅Ｌｕｃが前記本体開口の縦幅Ｌｍｈより大きい請求項１に記載の長さ調節具。
【請求項３】
前記縦幅Ｌｍｂが前記縦幅Ｌｕｂと前記上板上縁部の縦幅Ｌｕｕとを合わせた縦幅より大きい請求項１又は２に記載の長さ調節具。
【請求項４】
前記一対の本体側縁部及び前記本体上縁部が、横幅方向視において、上記本体の厚さ方向に所定の曲率半径で突出している、請求項１から３のいずれかに記載の長さ調節具。
【請求項５】
第一ベルト、第二ベルト及び長さ調節具を備えており、
前記長さ調節具が本体及び上板を備えており、
前記本体が、本体基部と、本体上縁部と、前記本体基部と本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と上板上縁部との間に形成された上板開口と、前記上板開口を間にして前記上板基部と前記上板上縁部とを連結する一対の上板側縁部と、を備えており、
前記第一ベルトが折り返されて第一挿通部が形成されており、前記第一挿通部に前記本体基部と前記上板基部とが通されており、
前記第二ベルトが折り返されて第二挿通部が形成されており、前記第二挿通部が前記本体開口に通されて、前記第二挿通部に前記上板上縁部が通されており、
前記本体基部の縦幅Ｌｍｂが前記上板基部の縦幅Ｌｕｂより大きく、
前記縦幅Ｌｍｂと前記本体開口の縦幅Ｌｍｈとを合わせた縦幅Ｌｍａが前記上板の縦幅Ｌｕｔより大きく、
前記縦幅Ｌｕｂと前記上板開口の縦幅Ｌｕｈとを合わせた縦幅Ｌｕａが前記縦幅Ｌｍｂより大きい、安全帯。
【請求項６】
前記縦幅Ｌｍａと前記縦幅Ｌｕｔとの差が前記第二ベルトの厚さＴ２より大きく、
前記縦幅Ｌｕａと前記縦幅Ｌｍｂとの差が前記第一ベルトの厚さＴ１と前記厚さＴ２とを合わせた厚さより大きい、請求項５に記載の安全帯。
【請求項７】
前記本体が上記本体上縁部から延びて第二ベルトから離れる向きの凹みを形成するつまみ部を備えている、請求項５又は６に記載の安全帯。
【請求項８】
上記安全帯がハーネス型安全帯である請求項５から７のいずれかに記載の安全帯。
【請求項９】
長さ調節具を介して連結された第一ベルトと第二ベルトとを合わせたベルトの長さを調節する方法であって、
前記長さ調節具が本体及び上板を備えており、
前記本体が、本体基部と、本体上縁部と、前記本体基部と本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と上板上縁部との間に形成された上板開口と、前記上板開口を間にして前記上板基部と前記上板上縁部とを連結する一対の上板側縁部と、を備えており、
前記第一ベルトが折り返されて第一主部と第一折り返し部とが形成されており、前記第一主部と前記折り返し部とによって第一挿通部が形成されており、前記第一挿通部に前記本体基部と前記上板基部とが通されており、
前記第二ベルトが折り返されて第二挿通部が形成されており、前記第二挿通部が前記本体開口に通されて、前記第二挿通部に前記上板上縁部が通されており、
本体起立工程、調節工程及び荷重付加工程を備えており、
上記本体起立工程において、前記本体の縦幅方向を上記第一主部の長手方向に対して直交する向きに回動し、前記上板を前記本体に対して移動させ、前記本体開口を縦幅方向において前記上板上縁部と前記本体上縁部との間の開口と前記上板上縁部と前記本体基部との間の開口とに分け、
上記調節工程において、前記上板上縁部と前記本体上縁部との間の前記開口と、前記上板上縁部と前記本体基部との間の前記開口と、に通された前記第二ベルトを、前記上板上縁部３４ｃの周りをその長手方向に移動する、安全帯のベルトの長さ調節方法。
【発明の詳細な説明】
【技術分野】
【０００１】
本発明は、ベルト長さ調節具に関する。
【背景技術】
【０００２】
図７（ａ）には、特開２０１３−２４７９８３公報の、被災者用装着ベルト１が示されている。このベルト１は、第一ベルト２と第二ベルト３と長さ調節具４とを備えている。この長さ調節具４は、開口５ａが形成された本体５と、開口６ａが形成された上板６とを備えている。
【０００３】
図７（ａ）に示される様に、第一ベルト２が折り返されて形成された第一挿通部２ａに、本体５の基部５ｂと上板６の基部６ｂとが通されている。第二ベルト３が折り返されて形成された第二挿通部３ａが本体５の開口５ａに通されている。この第二挿通部３ａに上板６の上縁部６ｃが通されている。第二ベルト３の本体部３ｂが矢印Ｆの向きに引っ張られることで、折り返し部３ｃが本体５の上縁部５ｃと上板６の上縁部６ｃ及び本体部３ｂとに挟まれて、固定される。これにより、第一ベルト２と第二ベルト３とは、長さ調節具４を介して、所定の長さで固定される。
【０００４】
図７（ｂ）に示される様に、長さ調節の際には、本体５の上縁部５ｃと上板６の上縁部６ｃとの間に隙間が拡げられる。この隙間で、第二ベルト３はその長手方向に摺動可能にされる。これにより、第二ベルト３の本体部３ｂの長さが調節される。この長さ調節がされた後に、本体部３ｂが図７（ａ）の矢印Ｆの向きに引っ張られることで、長さ調節具４で第二ベルト３が固定される。これにより、このベルト１の長さが調節される。この様にして、ベルト１は、装着する被災者の体格に合わせて調節される。
【先行技術文献】
【特許文献】
【０００５】
【特許文献１】特開２０１３−２４７９８３公報
【発明の概要】
【発明が解決しようとする課題】
【０００６】
前述の様に、長さ調節具４では、上縁部５ｃと上縁部６ｃとの隙間を拡げて、ベルトの長さが調節される。しかしながら、この隙間は狭く、又隙間の保持は容易でない。この隙間では、第二ベルト３は滑り難い。この隙間では、ベルト１の長さ調節に手間取ることがある。
【０００７】
本発明の目的は、ベルトの長さの調節が容易にされた長さ調節具と安全帯との提供にある。
【課題を解決するための手段】
【０００８】
本発明に係る長さ調節具は、安全帯のベルトの長さを調節する。この長さ調節具は、本体及び上板を備えている。前記本体は、本体基部と、本体上縁部と、前記本体基部と前記本体上縁部との間に形成された本体開口と、前記本体開口を間にして前記本体基部と前記本体上縁部とを連結する一対の本体側縁部と、を備えている。前記上板は、上板基部と、上板上縁部と、前記上板基部と前記上板上縁部との間に形成された上板開口と、前記上板開口を間にして前記上板基部と前記上板上縁部とを連結する一対の上板側縁部と、を備えている。
前記本体基部の縦幅Ｌｍｂは、前記上板基部の縦幅Ｌｕｂより大きい。前記縦幅Ｌｍｂと前記本体開口の縦幅Ｌｍｈとを合わせた縦幅Ｌｍａは、前記上板の縦幅Ｌｕｔより大きい。前記縦幅Ｌｕｂと前記上板開口の縦幅Ｌｕｈとを合わせた縦幅Ｌｕａは、前記縦幅Ｌｍｂより大きい。
【０００９】
好ましくは、前記上板開口の縦幅Ｌｕｈと前記上板上縁部の縦幅Ｌｕｕと合わさせた縦幅Ｌｕｃは、前記本体開口の縦幅Ｌｍｈより大きい。
【００１０】
好ましくは、前記縦幅Ｌｍｂは、前記縦幅Ｌｕｂと前記上板上縁部の縦幅Ｌｕｕとを合わせた縦幅より大きい。
【００１１】
好ましくは、前記一対の本体側縁部及び前記本体上縁部は、横幅方向視において、上記本体の厚さ方向に所定の曲率半径で突出している。
【００１２】
本発明に係る安全帯は、第一ベルト、第二ベルト及び長さ調節具を備えている。前記長さ調節具は、本体及び上板を備えている。前記本体は、本体基部と、本体上縁部と、前記本体基部と本体上縁部との間に形成された本体開口と、前記本体開口を間にして前記本体基部と前記本体上縁部とを連結する一対の本体側縁部と、を備えている。前記上板は、上板基部と、上板上縁部と、前記上板基部と上板上縁部との間に形成された上板開口と、前記上板開口を間にして前記上板基部と前記上板上縁部とを連結する一対の上板側縁部と、を備えている。前記第一ベルトが折り返されて第一挿通部が形成されている。前記第一挿通部に前記本体基部と前記上板基部とが通されている。前記第二ベルトが折り返されて第二挿通部が形成されている。前記第二挿通部が前記本体開口に通されている。前記第二挿通部に前記上板上縁部が通されている。
前記本体基部の縦幅Ｌｍｂは、前記上板基部の縦幅Ｌｕｂより大きい。前記縦幅Ｌｍｂと前記本体開口の縦幅Ｌｍｈとを合わせた縦幅Ｌｍａは、前記上板の縦幅Ｌｕｔより大きい。前記縦幅Ｌｕｂと前記上板開口の縦幅Ｌｕｈとを合わせた縦幅Ｌｕａは、前記縦幅Ｌｍｂより大きい。
【００１３】
好ましくは、前記縦幅Ｌｍａと前記縦幅Ｌｕｔとの差は、前記第二ベルトの厚さＴ２より大きい。前記縦幅Ｌｕａと前記縦幅Ｌｍｂとの差は、前記第一ベルトの厚さＴ１と前記厚さＴ２とを合わせた厚さより大きい。
【００１４】
好ましくは、前記本体が上記本体上縁部から延びて第二ベルトから離れる向きの凹みを形成するつまみ部を備えている。
【００１５】
好ましくは、上記安全帯がハーネス型安全帯である。
【００１６】
本発明に係る安全帯のベルトの長さ調節方法は、長さ調節具を介して連結された第一ベルトと第二ベルトとを合わせたベルトの長さを調節する。
前記長さ調節具は、本体及び上板を備えている。前記本体は、本体基部と、本体上縁部と、前記本体基部と本体上縁部との間に形成された本体開口と、前記本体開口を間にして前記本体基部と前記本体上縁部とを連結する一対の本体側縁部と、を備えている。前記上板は、上板基部と、上板上縁部と、前記上板基部と上板上縁部との間に形成された上板開口と、前記上板開口を間にして前記上板基部と前記上板上縁部とを連結する一対の上板側縁部と、を備えている。前記第一ベルトが折り返されて第一主部と第一折り返し部とが形成されている。前記第一主部と前記折り返し部とによって第一挿通部が形成されている。前記第一挿通部に前記本体基部と前記上板基部とが通されている。前記第二ベルトが折り返されて第二挿通部が形成されている。前記第二挿通部が前記本体開口に通されている。前記第二挿通部に前記上板上縁部が通されている。
この長さ調節方法は、本体起立工程、調節工程及び荷重付加工程を備えている。
上記本体起立工程において、前記本体の縦幅方向を上記第一主部の長手方向に対して直交する向きに回動する。この回動によって、前記上板を前記本体に対して移動させ、前記本体開口を縦幅方向において前記上板上縁部と前記本体上縁部との間の開口と前記上板上縁部と前記本体基部との間の開口とに分ける。
上記調節工程において、前記上板上縁部と前記本体上縁部との間の前記開口と、前記上板上縁部と前記本体基部との間の前記開口と、に通された前記第二ベルトを、前記上板上縁部３４ｃの周りをその長手方向に移動する。
【発明の効果】
【００１７】
本発明に係る長さ調節具は、長さの調節が容易にされている。長さの調節とこの長さ調節具を備えた安全帯とは、ベルトの長さ調節が容易にできる。
【図面の簡単な説明】
【００１８】
【図１】図１は、本発明の一実施形態に係るハーネス型安全帯が示された概念図である。
【図２】図２（ａ）は図１のハーネス型安全帯に取り付けられた長さ調節具の本体の平面図であり、図２（ｂ）は図２（ａ）の線分IIb−IIｂに沿った断面図である。
【図３】図３（ａ）は図１のハーネス型安全帯に取り付けられた長さ調節具の上板の平面図であり、図３（ｂ）は図３（ａ）の線分IIIｂ−IIIｂに沿った断面図である。
【図４】図４は、図１のハーネス型安全帯の長さ調節具の使用状態の説明図である。
【図５】図５は、図１のハーネス型安全帯の長さ調節具の他の使用状態の説明図である。
【図６】図６は、図１のハーネス型安全帯の長さ調節具の更に他の使用状態の説明図である。
【図７】図７（ａ）は従来の長さ調節具の使用状態が示された説明図であり、図７（ｂ）は従来の長さ調節具の他の使用状態が示された説明図である。
【発明を実施するための形態】
【００１９】
以下、適宜図面が参照されつつ、好ましい実施形態に基づいて本発明が詳細に説明される。
【００２０】
図１には、背面から見たハーネス型安全帯１０が示されている。このハーネス型安全帯１０は、一対の肩ベルト１２と、一対の腿ベルト１４と、固定板１６と、背部連結環１８と、胸ベルト２０と、胸部連結環２２と、本発明に係る一対の長さ調節具２４と、留め具２５と、を備えている。
【００２１】
それぞれの肩ベルト１２は、上方で折り返されている。この折り返しにより、肩ベルト１２には、前肩ベルト部１２ａ及び後肩ベルト部１２ｂが形成されている。前肩ベルト部１２ａ及び後肩ベルト部１２ｂは、それぞれ下方に向かって延びている。一方の後肩ベルト部１２ｂと他方の後肩ベルト部１２ｂとが交差して、交差部１２ｃが形成されている。
【００２２】
それぞれの腿ベルト１４は、後腿ベルト部１４ａ、前腿ベルト部１４ｂ及びバックル１４ｃを備えている。後腿ベルト部１４ａは、前肩ベルト部１２ａに連続して下方に延びており、下方で折り返されている。前腿ベルト部１４ｂは、後肩ベルト部１２ｂに連続して下方に延びている。
【００２３】
バックル１４ｃは、バックル本体１４ｄ及びタングプレート１４ｅを備えている。この腿ベルト１４では、バックル本体１４ｄは、前腿ベルト部１４ｂの端部に連結されている。タングプレート１４ｅは、後腿ベルト部１４ａの端部に連結されている。このバックル１４ｃによって、後腿ベルト部１４ａと前腿ベルト部１４ｂとは、連結及び連結解除可能にされている。
【００２４】
固定板１６は、交差部１２ｃに配置されている。この固定板１６に、一対の後肩ベルト１２ｂが互いに交差して通されている。この固定板１６は、一対の後肩ベルト１２ｂに取り付けられている。背部連結環１８は、交差部１２ｃで、固定板１６と一対の後肩ベルト部１２ｂとに取り付けられている。
【００２５】
胸ベルト２０は、第一胸ベルト部２０ａと、第二胸ベルト部２０ｂと、バックル２０ｃとを備えている。第一胸ベルト部２０ａは、一方の肩ベルト１２に連結されている。第二胸ベルト部２０ｂは、他方の肩ベルト１２に連結されている。このバックル２０ｃは、第一端部としてのバックル本体２０ｄと、第二端部としてのタングプレート２０ｅと、を備えている。この胸ベルト２０では、バックル本体２０ｄは、第一胸ベルト部２０ａの端部に連結されている。タングプレート２０ｅは、第二胸ベルト部２０ｂの端部に連結されている。このバックル２０ｃによって、第一胸ベルト部２０ａと第二胸ベルト部２０ｂとは、連結及び連結解除可能にされている。胸部連結環２２は、胸ベルト２０に連結されている。
【００２６】
肩ベルト１２及び腿ベルト１４は、帯状のベルトからなっている。一方の後腿ベルト部１４ａと一方の肩ベルト１２と他方の前腿ベルト部１４ｂとが連続して、一方の主ベルト２６が形成されている。同様に、他方の後腿ベルト部１４ａと他方の肩ベルト１２と一方の前腿ベルト部１４ｂとが連続して、他方の主ベルト２６が形成されている。このハーネス型安全帯の一対の肩ベルト１２及び一対の腿ベルト１４は、一対の主ベルト２６から形成されている。
【００２７】
それぞれの主ベルト２６は、第一ベルト２８及び第二ベルト３０を備えている。この第一ベルト２８及び第二ベルト３０は、帯状のベルトからなっている。
【００２８】
それぞれの長さ調節具２４は、本体３２と上板３４とを備えている。長さ調節具２４は、第一ベルト２８と第二ベルト３０とを連結している。この長さ調節具２４によって、主ベルト２６の長さが調節可能にされている。
【００２９】
図２（ａ）には、長さ調節具２４の本体３２が示されている。図２（ｂ）には、図２（ａ）の線分IIｂ−IIｂに沿った断面が示されている。図２（ａ）の左右方向が本体３２の横幅方向であり、上下方向が本体３２の縦幅方向であり、紙面に垂直な方向が本体３２の厚さ方向である。
【００３０】
図２（ａ）に示される様に、この本体３２には、本体開口３２ａが形成されている。この本体開口３２ａの形状は、図２（ａ）に示される平面視において、略長方形である。本体３２は、本体基部３２ｂ、本体上縁部３２ｃ、一対の本体側縁部３２ｄ及びつまみ部３２ｅを備えている。本体基部３２ｂと本体上縁部３２ｃとは、本体３２の縦幅方向において、本体開口３２ａを間にして位置している。一対の本体側縁部３２ｄは、本体３２の横幅方向において、本体開口３２ａを間にして位置している。本体基部３２ｂと本体上縁部３２ｃとは、一対の本体側縁部３２ｄによって連結されている。つまみ部３２ｅは、本体上縁部３２ｃの縦幅方向端から更に縦幅方向外向きに延びている。このつまみ部３２ｅは、本体上縁部３２ｃの横幅方向において、中央に配置されている。
【００３１】
図２（ｂ）に示される様に、この本体３２は、表面３２ｆと裏面３２ｇと開口端面３２ｈと外端面３２ｊとを備えている。ハーネス型安全帯１０が装着された状態において、表面３２ｆは外向きの面であり、裏面３２ｇは内向きの面である。開口端面３２ｈは、本体基部３２ｂの本体開口３２ａ向きの面である。外端面３２ｊは、本体基部３２ｂの外向きの面である。この本体３２の本体基部３２ｂ、一対の本体側縁部３２ｄ及び本体上縁部３２ｃは、表面３２ｆが装着者の外向きに突出する向きに湾曲している。図２（ｂ）の片矢印Ｒｍは、この表面３２ｆの曲率半径を表している。この本体上縁部３２ｃとつまみ部３２ｅとの境界で、本体３２は屈曲している。つまみ部３２ｅは、曲率半径Ｒｍの半径方向外向きに突出する向きに延びている。
【００３２】
図２（ｂ）の一点鎖線Ｌｆは、縦幅方向及び横幅方向に平行な平面を表している。この平面Ｌｆに裏面３２ｇが接した状態において、つまみ部３２ｅと平面Ｌｆとの間に空間が形成されている。
【００３３】
図２（ａ）の両矢印Ｗｍｈは、本体開口３２ａの横幅を表している。図２（ｂ）の両矢印Ｌｍｈは、本体開口３２ａの縦幅を表している。両矢印Ｌｍｂは、本体基部３２ｂの縦幅を表している。両矢印Ｌｍａは、縦幅Ｌｍｈと縦幅Ｌｍｂとを合わせた縦幅を表している。この横幅Ｗｍｈ、縦幅Ｌｍｈ、縦幅Ｌｍｂ及び縦幅Ｌｍａは、平面Ｌｆに平行な直線距離として測定される。
【００３４】
図３（ａ）には、長さ調節具２４の上板３４が示されている。図３（ｂ）には、図３（ａ）の線分IIIｂ−IIIｂに沿った断面が示されている。図３（ａ）の左右方向が上板３４の横幅方向であり、上下方向が上板３４の縦幅方向であり、紙面に垂直な方向が上板３４の厚さ方向である。
【００３５】
図３（ａ）に示される様に、この上板３４には、上板開口３４ａが形成されている。この上板開口３４ａの形状は、図３（ａ）に示される平面視において、略長方形である。上板３４は、上板基部３４ｂ、上板上縁部３４ｃ及び一対の上板側縁部３４ｄを備えている。上板基部３４ｂと上板上縁部３４ｃとは、上板３４の縦幅方向において、上板開口３４ａを間にして位置している。一対の上板側縁部３４ｄは、上板３４の横幅方向において、上板開口３４ａを間にして位置している。上板基部３４ｂと上板上縁部３４ｃとは、一対の上板側縁部３４ｄによって連結されている。
【００３６】
図３（ｂ）に示される様に、この上板３４は、表面３４ｆと裏面３４ｇと開口端面３４ｈと外端面３４ｊとを備えている。ハーネス型安全帯１０が装着された状態において、表面３４ｆは外向きの面であり、裏面３４ｇは内向きの面である。開口端面３４ｈは、上板基部３４ｂの上板開口３４ａ向きの面である。外端面３４ｊは、上板基部３４ｂの外向きの面である。この上板３４の上板基部３４ｂ、一対の上板側縁部３４ｄ及び上板上縁部３４ｃは、裏面３４ｇが装着者の外向きに凹む向きに、湾曲している。図３（ｂ）の片矢印Ｒｕは、この裏面３４ｇの曲率半径を表している。
【００３７】
図３（ａ）の両矢印Ｗｕｈは、上板開口３４ａの横幅を表している。両矢印Ｗｕｔは、上板３４の横幅を表している。この横幅Ｗｕｔは、上板上縁部３４ｃにおける最大幅として測定される。図３（ｂ）の一点鎖線Ｌｆは、縦幅方向及び横幅方向に平行な平面を表している。図３（ｂ）の両矢印Ｌｕｈは、上板開口３４ａの縦幅を表している。両矢印Ｌｕｂは、上板基部３４ｂの縦幅を表している。両矢印Ｌｕｕは、上板上縁部３４ｃの縦幅を表している。両矢印Ｌｕａは、縦幅Ｌｕｈと縦幅Ｌｕｂとを合わせた縦幅を表している。両矢印Ｌｕｃは、縦幅Ｌｕｈと縦幅Ｌｕｕとを合わせた縦幅を表している。両矢印Ｌｕｔは、上板３４の縦幅を表している。横幅Ｗｕｔ、横幅Ｗｕｈ、縦幅Ｌｕｈ、縦幅Ｌｕｂ、縦幅Ｌｕｕ、縦幅Ｌｕａ、縦幅Ｌｕｃ及び縦幅Ｌｕｔは、平面Ｌｆに平行な直線距離として測定される。
【００３８】
この長さ調節具２４では、上板３４の横幅Ｗｕｔは、本体開口３２ａの横幅Ｗｍｈより大きい。本体開口３２ａの横幅Ｗｍｈと上板開口３４ａの横幅Ｗｕｈは、第一ベルト２８の幅より大きく、第二ベルト３０の幅より大きい。
【００３９】
この本体３２及び上板３４は、金属からなる。この本体３２及び上板３４は、例えば、金属板にプレス加工し、成形される。このプレス加工は例示であってこれに限られない。本体３２及び上板３４は、鍛造成形や鋳造成形されてもよい。
【００４０】
図４には、第一ベルト２８と第二ベルト３０とを連結する長さ調節具２４の断面が示されている。図４の両矢印Ｔ１は、第一ベルト２８の厚さを表している。両矢印Ｔ２は、第二ベルト３０の厚さを表している。この第一ベルト２８と第二ベルト３０とは、長さ調節具２４を介して、連結されている。長さ調節具２４の本体３２と上板３４とが重ね合わされている。本体３２の表面３２ｆと上板３４の裏面３４ｇとが接している。
【００４１】
第一ベルト２８は、本体基部３２ｂと上板基部３４ｂとの周りで折り返されている。この折り返しにより、第一主部２８ａと第一折り返し部２８ｂとが形成されている。これにより、第一ベルト２８には、第一挿通部２８ｃが形成されている。この第一挿通部２８ｃに本体基部３２ｂと上板基部３４ｂとが通されている。図示されないが、第一主部２８ａに第一折り返し部２８ｂの端部が縫着されている。
【００４２】
第二ベルト３０は、上板上縁部３４ｃの周りで折り返されている。この折り返しにより、第二主部３０ａと第二折り返し部３０ｂとが形成されている。この折り返しにより、第二ベルト３０には、第二挿通部３０ｃが形成されている。この第二挿通部３０ｃに上板上縁部３４ｃが通されている。この第二挿通部３０ｃは、本体３２の裏面３２ｇ側から表面３２ｆ側に向かって、本体開口３２ａに通されている。本体開口３２ａを通された第二挿通部３０ｃに、上板上縁部３４ｃが通されている。この第二折り返し部３０ｂは、留め具２５（図１参照）によって、留められている。
【００４３】
図４に示される連結状態において、第一ベルト２８の第一主部２８ａと第二ベルト３０の第二主部３０ａとの間に引張荷重が作用すると、第二ベルト３０は、第一ベルト２８から離れる向きに引かれる。この第二挿通部３０ｃに通された上板上縁部３４ｃが第一ベルト２８から離れる向きに移動する。上板３４は、本体３２の表面３２ｆに沿って、第一ベルト２８から離れる向きに移動する。本体上縁部３２ｃと上板上縁部３４ｃとが第二折り返し部３０ｂを挟み込む。引張荷重で張られた第二主部３０ａと本体上縁部３２ｃとが第二折り返し部３０ｂを挟み込む。本体上縁部３２ｃと上板上縁部３４ｃ及び第二主部３０ａとで挟み込まれて、第二折り返し部３０ｂが固定される。この様にして、主ベルト２６は、引張荷重に対して、一定の長さで保持される。
【００４４】
図５には、長さ調節具２４の他の使用状態が示されている。この長さ調節具２４は、ハーネス型安全帯１０の装着者の、墜落阻止時の使用状態にある。この墜落阻止時は、大きな衝撃荷重が作用する。図５には、この大きな衝撃荷重によって、第一ベルト２８と第二ベルト３０との間に非常に大きな引張荷重が作用した状態が示されている。図５では、本体基部３２ｂと上板基部３４ｂが第一挿通部２８ｃに通されているので、上板基部３４ｂの開口端面３４ｈと本体基部３２ｂの開口端面３２ｈとは、第一挿通部２８ｃに揃って当接している。
【００４５】
図５の状態では、上板上縁部３４ｃと本体上縁部３２ｃとが重なっている。上板３４の裏面３４ｇと本体３２の表面３２ｆとが第二ベルト３０を挟み込んでいる。第二折り返し部３０ｂは、本体開口３２ａの縁で、本体上縁部３２ｃに折り返されている。更に、第二折り返し部３０ｂは、上板上縁部３４ｃの外端で、上板上縁部３４ｃに折り返されている。引張荷重で張られた第二主部３０ａと本体上縁部３２ｃとが、第二折り返し部３０ｂを挟み込んでいる。
【００４６】
図６には、長さ調節具２４の更に他の使用状態が示されている。長さ調節具２４は、長さ調節時の使用状態にある。図６では、本体３２の縦幅方向が、第一ベルト２８の長手方向に対して略直角に交わる様に、本体３２が起こされている。上板基部３４ｂの外端面３４ｊと本体基部３２ｂの外端面３２ｊとが第一挿通部２８ｃに揃って当接している。この本体３２の縦幅方向において、上板上縁部３４ｃは、本体開口３２ａに位置している。上板上縁部３４ｃによって、本体開口３２ａは、上板上縁部３４ｃと本体上縁部３２ｃとの間の開口と、上板上縁部３４ｃと本体基部３２ｂとの間の開口とに分けられている。この上板上縁部３４ｃの周りで、第二ベルト３０が折り返されている。
【００４７】
なお、図６では、外端面３４ｊと外端面３２ｊとが第一挿通部２８ｃに揃って当接しているが、上板３４の外端面３４ｊは、第一挿通部２８ｃに当接しなくともよい。上板上縁部３４ｃと本体上縁部３２ｃとの間の開口と、上板上縁部３４ｃと本体基部３２ｂとの間の開口とを形成する位置に、上板３４が位置すればよい。
【００４８】
この図４から図６を参照しつつ、長さ調節具２４を用いて、主ベルト２６の長さ調節方法が説明される。この長さ調節方法は、本体起立工程、調節工程及び荷重付加工程を備えている。
【００４９】
本体起立工程では、図４の長さ調節具２４の、本体３２のつまみ部３２ｅと第二ベルト３０との間に、装着者が指を挿入する。本体基部３２ｂの外端面３２ｊを回動中心側にして、装着者が本体３２を回動する。装着者は、本体３２の縦幅方向が第一ベルト２８の第一主部２８ａの長手方向に直交する向きに、本体３２を起立させる。
【００５０】
この本体３２が起立するときに、第二ベルト３０の第二主部３０ａには引張荷重が作用する。この引張荷重によって、第二挿通部３０ｃは、第一ベルト２８に近付く向きに、上板上縁部３４ｃを移動させる。上板３４は、本体３２に対して、上板上縁部３４ｃが本体基部３２ｂに近付く向きに移動する。この様に、装着者が本体３２を起立させることで、長さ調節具２４は図６の状態にされる。
【００５１】
調節工程では、装着者が図６の長さ調節具の第二主部３０ａを引く。このとき、第二ベルト３０は、上板上縁部３４ｃの周りをその長手方向に移動する。装着者は、第二主部３０ａの長さを長くする。又は、装着者が第二折り返し部３０ｂを引く。装着者は、第二主部３０ａの長さを短くする。この様にして、装着者は、主ベルト２６の長さを調節する。
【００５２】
荷重付加工程では、作業者がつまみ部３２ｅから手を離す。第一ベルト２８の第一主部２８ａと第二ベルト３０の第二主部３０ａとの間に作用する引張荷重によって、本体３２は、その縦幅方向が第一主部２８ａ及び第二主部３０ａの長手方向に沿う向きに、倒れる。この様にして、長さ調節具２４は、図４に示される状態になる。更に、第一主部２８ａと第二主部３０ａとの間に作用する引張荷重によって、本体上縁部３２ｃと上板上縁部３４ｃとが第二折り返し部３０ｂを挟み込む。引張荷重で張られた第二主部３０ａと本体上縁部３２ｃとが第二折り返し部３０ｂを挟み込む。この様にして、第二折り返し部３０ｂが固定される。主ベルト２６は、一定の長さで保持される。なお、第一主部２８ａと第二主部３０ａとの間に作用する引張荷重が小さい場合には、装着者が、第一主部２８ａと第二主部３０ａとを引っ張って、引張荷重を付与する。これにより、第二折り返し部３０ｂが固定される。
【００５３】
図４に示される様に、この長さ調節具２４では、本体基部３２ｂの縦幅Ｌｍｂは、上板基部３４ｂの縦幅Ｌｕｂより大きい。図４の状態から図６の状態にされるときに、上板３４は、本体３２に対して、上板上縁部３４ｃが本体基部３２ｂに近付く向きに容易に移動する。
【００５４】
図６に示される様に、本体３２の縦幅Ｌｍａは、上板３４の縦幅Ｌｕｔより大きい。これにより、図６の状態で、本体上縁部３２ｃと上板上縁部３４ｃとの間に空間が形成されている。また、上板３４の縦幅Ｌｕａは、本体基部３２ｂの縦幅Ｌｍｂより大きい。これにより、図６の状態で、本体基部３２ｂと上板上縁部３４ｃとの間に空間が形成されている。これにより、図６の状態において、第二ベルト３０は、上板上縁部３４ｃの周りでスムーズに長手方向に移動することができる。
【００５５】
更に、縦幅Ｌｍａと縦幅Ｌｕｔとの差は、好ましくは、第二ベルト３０の厚さＴ２より大きい。縦幅Ｌｕａと縦幅Ｌｍｂとの差は、好ましくは、第一ベルト２８の厚さＴ１と第二ベルト３０の厚さＴ２とを合わせた厚さより大きい。これにより、本体上縁部３２ｃと上板上縁部３４ｃとの間に空間と、本体基部３２ｂと上板上縁部３４ｃとの間に空間とを、第二ベルト３０は、よりスムーズに長手方向に移動できる。
【００５６】
この長さ調節具２４では、前述の本体起立工程において、本体３２のつまみ部３２ｅと第二ベルト３０との間に、装着者が指を挿入しうる。これにより、本体３２を起立させることが、容易にされている。本体基部３２ｂの外端面３２ｊを回動中心側にして、つまみ部３２ｅを回動させることで、比較的に小さい力で装着者は本体３２を回動しうる。この長さ調節具２４では、第二ベルト３０にある程度の引張荷重が作用する場合にも、比較的に小さい力で装着者は本体３２を回動しうる。
【００５７】
高所作業する装着者の落下阻止時には、第一主部２８ａと第二主部３０ａとの間に、大きな衝撃荷重が作用する。図５に示される様に、この大きな衝撃荷重によって、上板基部３４ｂの開口端面３４ｈと本体基部３２ｂの開口端面３２ｈとが第一挿通部２８ｃに揃って当接する。上板３４の縦幅Ｌｕｃは、本体開口３２ａの縦幅Ｌｍｈより大きい。これにより、上板３４の裏面３４ｇと本体３２の表面３２ｆとが第二ベルト３０を挟み込む。第二折り返し部３０ｂは、本体開口３２ａの縁で、本体上縁部３２ｃに折り返されている。更に、第二折り返し部３０ｂは、上板上縁部３４ｃの外端で、上板上縁部３４ｃに折り返されている。この様にして、第二ベルト３０は、その長手方向に確実に固定される。この長さ調節具４は、落下阻止時の大きな衝撃荷重に対しても、主ベルト２６の全長が長くなることを抑制する。このハーネス型安全帯１０では、装着者の落下阻止時に、肩ベルト１２及び腿ベルト１４が緩むことが抑制されている。
【００５８】
この長さ調節具２４では、本体基部３２ｂの縦幅Ｌｍｂは、上板基部３４ｂの縦幅Ｌｕｂと上板上縁部３４ｃの縦幅Ｌｕｕとを合わせた縦幅より大きい。図５の状態で、上板３４の裏面３４ｇと本体３２の表面３２ｆとが第二ベルト３０を挟み込む。これにより、大きな衝撃荷重に対して、第二ベルト３０が長手方向に確実に固定される。一方で、この長さ調節具２４では、図６の状態で、本体上縁部３２ｃと上板上縁部３４ｃとの間に隙間が形成されている。これにより、第二ベルト３０の第二主部３０ａの長さ調節が容易にされている。
【００５９】
この本体３２では、本体側縁部３２ｄ及び本体上縁部３２ｃにおける表面３２ｆは、横幅方向視において、本体３２の厚さ方向に曲率半径Ｒｍで突出している。これにより、本体側縁部３２ｄ及び本体上縁部３２ｃは、第二ベルト３０に作用する衝撃荷重にも高い強度と耐久性とを発揮する。
【００６０】
一方で、上板３４の裏面３４ｇは、横幅方向視において、上板３４の厚さ方向に曲率半径Ｒｕで凹んでいる。裏面３４ｇが曲率半径Ｒｕで凹むことで、本体３２の表面３２ｆに対して摺動し易い。この観点から、この曲率半径Ｒｍと曲率半径Ｒｕとの差は小さいことが好ましく、この曲率半径Ｒｍと曲率半径Ｒｕとが同じ大きさにされることが更に好ましい。
【００６１】
ここでは、ハーネス型安全帯１０を例に説明がされたが、本発明の長さ調節具２４の用途は、これに限られない。この長さ調節具２４は、腰ベルト型安全帯にも適用しうる。また、長さ調節具２４は、救助に用いられる被災者用装着ベルトにも適用しうる。この長さ調節具２４は、長さを調節されるベルトを備える安全帯に広く適用されうる。
【符号の説明】
【００６２】
１０・・・ハーネス型安全帯
２４・・・長さ調節具
２８・・・第一ベルト
２８ａ・・・第一主部
２８ｂ・・・第一折り返し部
２８ｃ・・・第一挿通部
３０・・・第二ベルト
３０ａ・・・第二主部
３０ｂ・・・第二折り返し部
３０ｃ・・・第二挿通部
３２・・・本体
３２ａ・・・本体開口
３２ｂ・・・本体基部
３２ｃ・・・本体上縁部
３２ｄ・・・本体側縁部
３２ｅ・・・つまみ部
３２ｆ、３４ｆ・・・表面
３２ｇ、３４ｇ・・・裏面
３２ｈ、３４ｈ・・・開口端面
３２ｊ、３４ｊ・・・外端面
３４・・・上板
３４ａ・・・上板開口
３４ｂ・・・上板基部
３４ｃ・・・上板上縁部
３４ｄ・・・上板側部
【図１】
2020028404.tif 000003
【図２】
2020028404.tif 000004
【図３】
2020028404.tif 000005
【図４】
2020028404.tif 000006
【図５】
2020028404.tif 000007
【図６】
2020028404.tif 000008
【図７】
2020028404.tif 000009
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
安全帯のベルトの長さを調節する長さ調節具であって、
本体及び上板を備えており、
前記本体が、本体基部と、本体上縁部と、前記本体基部と前記本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と前記上板上縁部との間に形成された上板開口と、前記上板開口を間にして前記上板基部と前記上板上縁部とを連結する一対の上板側縁部と、を備えており、
前記本体基部の縦幅Ｌｍｂが前記上板基部の縦幅Ｌｕｂより大きく、
前記縦幅Ｌｍｂと前記本体開口の縦幅Ｌｍｈとを合わせた縦幅Ｌｍａが前記上板の縦幅Ｌｕｔより大きく、
前記縦幅Ｌｕｂと前記上板開口の縦幅Ｌｕｈとを合わせた縦幅Ｌｕａが前記縦幅Ｌｍｂより大きい、長さ調節具。
【請求項２】
前記上板開口の縦幅Ｌｕｈと前記上板上縁部の縦幅Ｌｕｕと合わさせた縦幅Ｌｕｃが前記本体開口の縦幅Ｌｍｈより大きい請求項１に記載の長さ調節具。
【請求項３】
前記縦幅Ｌｍｂが前記縦幅Ｌｕｂと前記上板上縁部の縦幅Ｌｕｕとを合わせた縦幅より大きい請求項１又は２に記載の長さ調節具。
【請求項４】
前記一対の本体側縁部及び前記本体上縁部が、横幅方向視において、上記本体の厚さ方向に所定の曲率半径で突出している、請求項１から３のいずれかに記載の長さ調節具。
【請求項５】
第一ベルト、第二ベルト及び長さ調節具を備えており、
前記長さ調節具が本体及び上板を備えており、
前記本体が、本体基部と、本体上縁部と、前記本体基部と本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と上板上縁部との間に形成された上板開口と、前記上板開口を間にして前記上板基部と前記上板上縁部とを連結する一対の上板側縁部と、を備えており、
前記第一ベルトが折り返されて第一挿通部が形成されており、前記第一挿通部に前記本体基部と前記上板基部とが通されており、
前記第二ベルトが折り返されて第二挿通部が形成されており、前記第二挿通部が前記本体開口に通されて、前記第二挿通部に前記上板上縁部が通されており、
前記本体基部の縦幅Ｌｍｂが前記上板基部の縦幅Ｌｕｂより大きく、
前記縦幅Ｌｍｂと前記本体開口の縦幅Ｌｍｈとを合わせた縦幅Ｌｍａが前記上板の縦幅Ｌｕｔより大きく、
前記縦幅Ｌｕｂと前記上板開口の縦幅Ｌｕｈとを合わせた縦幅Ｌｕａが前記縦幅Ｌｍｂより大きい、安全帯。
【請求項６】
前記縦幅Ｌｍａと前記縦幅Ｌｕｔとの差が前記第二ベルトの厚さＴ２より大きく、
前記縦幅Ｌｕａと前記縦幅Ｌｍｂとの差が前記第一ベルトの厚さＴ１と前記厚さＴ２とを合わせた厚さより大きい、請求項５に記載の安全帯。
【請求項７】
前記本体が上記本体上縁部から延びて第二ベルトから離れる向きの凹みを形成するつまみ部を備えている、請求項５又は６に記載の安全帯。
【請求項８】
上記安全帯がハーネス型安全帯である請求項５から７のいずれかに記載の安全帯。
【請求項９】
長さ調節具を介して連結された第一ベルトと第二ベルトとを合わせたベルトの長さを調節する方法であって、
前記長さ調節具が本体及び上板を備えており、
前記本体が、本体基部と、本体上縁部と、前記本体基部と本体上縁部との間に形成された本体開口と、前記本体開口を間にして前記本体基部と前記本体上縁部とを連結する一対の本体側縁部と、を備えており、
前記上板が、上板基部と、上板上縁部と、前記上板基部と上板上縁部との間に形成された上板開口と、前記上板開口を間にして前記上板基部と前記上板上縁部とを連結する一対の上板側縁部と、を備えており、
前記本体基部の縦幅Ｌｍｂが前記上板基部の縦幅Ｌｕｂより大きく、
前記縦幅Ｌｍｂと前記本体開口の縦幅Ｌｍｈとを合わせた縦幅Ｌｍａが前記上板の縦幅Ｌｕｔより大きく、
前記縦幅Ｌｕｂと前記上板開口の縦幅Ｌｕｈとを合わせた縦幅Ｌｕａが前記縦幅Ｌｍｂより大きく、
前記第一ベルトが折り返されて第一主部と第一折り返し部とが形成されており、前記第一主部と前記折り返し部とによって第一挿通部が形成されており、前記第一挿通部に前記本体基部と前記上板基部とが通されており、
前記第二ベルトが折り返されて第二挿通部が形成されており、前記第二挿通部が前記本体開口に通されて、前記第二挿通部に前記上板上縁部が通されており、
本体起立工程、調節工程及び荷重付加工程を備えており、
上記本体起立工程において、前記本体の縦幅方向を上記第一主部の長手方向に対して直交する向きに回動し、前記上板を前記本体に対して移動させ、前記本体開口を縦幅方向において前記上板上縁部と前記本体上縁部との間の開口と前記上板上縁部と前記本体基部との間の開口とに分け、
上記調節工程において、前記上板上縁部と前記本体上縁部との間の前記開口と、前記上板上縁部と前記本体基部との間の前記開口と、に通された前記第二ベルトを、前記上板上縁部の周りをその長手方向に移動する、安全帯のベルトの長さ調節方法。